(57)【要約】【課題】ステイオンタブ方式の開口容易缶蓋において、開口時には、タブによる操作を缶蓋の所要部分に効率良く伝達してスコア線を破断し易くすることができ、しかも、未開口の状態で缶の内圧が高くなった時には、内圧によるスコア線の破断が起こり難いようにする。【解決手段】傾斜面１１ｂと該傾斜面１１ｂで囲まれた底面１１ａとを有する凹部１１が、タブ６と開口片１０の領域を内包するようにパネル部２に形成されているステイオンタブ方式の開口容易缶蓋１において、凹部１１の傾斜面１１ｂに沿ったスコア線７の外側での凹部１１の底面１１ａに対する傾斜面１１ｂの折れ曲がり角度を、リベット部５から最も離れた開口片１０の先端１０ａ付近で、その他の部分と比べて部分的に小さくなるようにする。【選択図】      図１
2004155449.tif 000002
【特許請求の範囲】
【請求項１】
スコア線によって囲まれた開口片が、スコア線の両端部の間をヒンジ部分として残すように、略円板状のパネル部の片側に偏って部分的に形成され、開口片を押し下げるためのタブが、その一端側が押し下げ端として開口片の上方に位置し、その他端側が把持部として開口片から離れて位置するように、パネル部の略中央で開口片の領域外にリベット部で固着されていると共に、傾斜面と該傾斜面で囲まれた底面とを有する凹部が、タブと開口片の領域を内包するようにパネル部に形成されている開口容易缶蓋において、凹部の傾斜面に沿ったスコア線の外側での、凹部の底面に対する傾斜面の折れ曲がり角度が、リベット部から最も離れた開口片の先端付近で、その他の部分と比べて部分的に小さくなっていることを特徴とする開口容易缶蓋。
【請求項２】
リベット部の中心と開口片の先端とを結ぶ仮想線上で、凹部の底面に対する傾斜面の折れ曲がり角度が５°以下となっていることを特徴とする請求項１に記載の開口容易缶蓋。
【発明の詳細な説明】
【０００１】
【発明の属する技術分野】
本発明は、飲料缶等で缶容器の天板側の端壁として缶胴に巻締固着される開口容易缶蓋に関し、特に、略円板状のパネル部に部分的に開口片が形成されているパーシャルオープンタイプの開口容易缶蓋で、タブの操作により開口片をパネル部と繋がった状態のまま缶内に押し下げて開口するようにしたステイオンタブ方式の開口容易缶蓋に関する。
【０００２】
【従来の技術】
飲料缶用の缶容器では、その天板側の端壁として缶胴に巻締固着される開口容易缶蓋（イージーオープンエンド）として、缶蓋の略円板状のパネル部を全面的に開口するフルオープンタイプではなく、缶蓋のパネル部の一部分を飲み口として部分的に開口するパーシャルオープンタイプの開口容易缶蓋が一般的に使用されている。そのような飲料缶用のパーシャルオープンタイプの開口容易缶蓋として、以前は、タブの操作によりタブと開口片を缶蓋のパネル部から完全に切り離すようなプルトップタブ方式の缶蓋が多く使用されていたが、缶から切り離されたタブと開口片が不用意に捨てられて、資源の回収や環境美化という点で問題があったことから、現在では、タブの操作によりパネル部と繋がった状態のまま開口片を缶内に押し下げて、タブや開口片を缶から切り離すことなく開口するステイオンタブ方式の缶蓋が多く使用されている。
【０００３】
そのようなステイオンタブ方式の開口容易缶蓋では、タブにより開口片を押し下げる際に、パネル部が撓んだり変形したりすると、タブによるてこ作用を缶蓋の所要部分（タブを固着するリベット部の近傍）に効率良く伝達することができず、その結果、スコア線を破断し難くなって開口性が悪くなるという虞がある。そのような問題に対処するために、ステイオンタブ方式の開口容易缶蓋においては、従来から一般的に、缶蓋のパネル部に対して、傾斜面と該傾斜面で囲まれた底面とを有する凹部を、タブと開口片の領域を内包するように形成することで、開口する前の缶蓋のパネル部上面からタブが上方に突出するのを抑えると共に、パネル部に張りを持たせるようにして、タブによる開口片の押し下げ時にパネル部が撓んだり変形したりするのを防止するようにしている。
【０００４】
なお、そのようなステイオンタブ方式の開口容易缶蓋について、例えば、特開２０００−１６４２４号公報には、内圧が負荷されたときの破断開口部（開口片）先端での曲げ変形を抑え、スコアでの割れによる破裂を防止することを目的として、破断開口部（開口片）の先端部に相当する段差部（凹部とカウンターシンク部の間の部分）を部分的に切り欠くとともに、当該切り欠き部分に缶蓋の径方向に延在する壁部を形成するという構成が記載されている。
【０００５】
【発明が解決しようとする課題】
ところで、タブと開口片の領域を内包するような凹部がパネル部に形成されているステイオンタブ方式の開口容易缶蓋においては、凹部の底面に対する傾斜面の傾斜角度（凹部の底面に対する傾斜面の折れ曲がり角度）が大きい程、パネル部の張りが良くなって、タブによるてこ作用を缶蓋の所要部分に効率良く伝達させることができ、スコア線の破断による開口時の開口性を向上させることができる。その一方、炭酸ガス等のガスを含有した飲料を内蔵する飲料缶の場合には、振動や衝撃や温度上昇等により内圧が上昇し易くなるが、上昇した内圧により缶蓋がリベット部を頂点とするドーム状に膨らまされた時には、凹部の底面に対する傾斜面の傾斜角度を大きくする程、その部分での折れ曲がりの程度が大きくなって強度が増すことで変形が起き難くなる。
【０００６】
そのように、凹部の底面に対する傾斜面の折れ曲がり角度が大きく、凹部の底面と傾斜面との境界部分が変形し難くなっていると、その分、内圧による缶蓋の外方への曲げ応力は、凹部の底面に位置するスコア線に集中的に作用することとなり、その結果、特に、開口片の先端近傍（缶蓋の外周に近い部分）では、図５（Ａ）に示すように、缶蓋の半径方向に対して略直交するようにスコア線７が位置していることで、図５（Ｂ）に示すように、断面略Ｖ字状に刻設されたスコア線７の溝の両側壁の角度を拡げるように、スコア線７の部分で山折りに折れ曲がり、それによってスコア線７が破断され易くなることから、缶蓋の他の部分が外方に角出し変形（所謂バックリング）するよりも前に、内圧によりスコア線７が破断されて内容物が吹き出してしまうという可能性がある。
【０００７】
この点について、既に述べたように、特開２０００−１６４２４号公報には、破断開口部（開口片）の先端部に相当する段差部（凹部とカウンターシンク部の間の部分）を部分的に切り欠くとともに、その切り欠き部分に缶蓋の径方向に延在する壁部を形成することで、内圧が負荷された時の破断開口部（開口片）の先端部付近での曲げ変形を抑えて、スコア線での割れ（曲げ変形による破断）を防止するということが記載されているものの、そのような構成では、内圧を受けることで缶蓋が外方に膨らもうとする力による曲げ変形や曲げ応力に対しては耐圧強度が向上するとしても、その耐圧強度を超える内圧が缶蓋に作用したときに、切り欠き部分がバックリングの起点となり易い（例えば、特開平５−１１２３５７号公報には、エンボスやコイニング等の座屈部を形成した部分でバックリングが発生し易いということが記載されている。）ことから、切り欠き部でバックリングが起きて、その近傍のスコア線が破断され易くなるという虞がある。
【０００８】
本発明は、上記のような問題の解消を課題とするものであり、具体的には、ステイオンタブ方式の開口容易缶蓋において、開口時には、タブによる操作を缶蓋の所要部分に効率良く伝達してスコア線を破断し易くすることができ、しかも、未開口の状態で缶の内圧が高くなった時には、内圧によるスコア線の破断が起こり難いようにすることを課題とするものである。
【０００９】
【課題を解決するための手段】
本発明は、上記のような課題を解決するために、スコア線によって囲まれた開口片が、スコア線の両端部の間をヒンジ部分として残すように、略円板状のパネル部の片側に偏って部分的に形成され、開口片を押し下げるためのタブが、その一端側が押し下げ端として開口片の上方に位置し、その他端側が把持部として開口片から離れて位置するように、パネル部の略中央で開口片の領域外にリベット部で固着されていると共に、傾斜面と該傾斜面で囲まれた底面とを有する凹部が、タブと開口片の領域を内包するようにパネル部に形成されている開口容易缶蓋において、凹部の傾斜面に沿ったスコア線の外側での、凹部の底面に対する傾斜面の折れ曲がり角度を、リベット部から最も離れた開口片の先端付近で、その他の部分と比べて部分的に小さくすることを特徴とするものである。
【００１０】
上記のような構成によれば、傾斜面と該傾斜面で囲まれた底面とを有する凹部を形成して、パネル部の張りを良くしていることで、開口時には、タブの操作を缶蓋の所要部分に効率良く伝達させることができて、スコア線が破断し易くなっていると共に、未開口の状態で缶の内圧が高くなった時には、特に、スコア線の外側での凹部の底面に対する傾斜面の折れ曲がり角度を、スコア線の破断が起き易い開口部の先端付近（缶蓋の外周に近い部分）の部分で他の部分よりも小さくして、この部分での変形を容易にしていることにより、内圧による缶蓋の外方への曲げ応力がスコア線の部分に集中するのを緩和することができて、内圧によるスコア線の破断が起こり難くなっている。
【００１１】
【発明の実施の形態】
以下、本発明の開口容易缶蓋の実施形態について、図面に基づいて詳細に説明する。なお、本発明の開口容易缶蓋の一実施形態について、図１は、缶蓋（缶胴に巻締め固着される前）の上面の全体を示し、図２は、タブを省略した缶蓋の上面の開口片がある側を拡大して部分的に示し、図３は、缶蓋の開口片先端付近の断面形状について、（Ａ）通常の場合と（Ｂ）内圧で変形した場合とをそれぞれ示し、図４は、缶蓋の開口片先端付近の成形状態を示すものである。また、開口容易缶蓋の従来例について、図５は、缶蓋の開口片先端付近の断面形状について、（Ａ）通常の場合と（Ｂ）内圧で変形した場合とをそれぞれ示し、図６は、缶蓋の開口片先端付近の成形状態を示すものである。
【００１２】
本実施形態の缶蓋１は、アルミニウム合金の薄板からプレス成形されるものであって、図１に示すように、パネル部２とカウンターシンク部３とフランジ部４とが一体的に形成された本体部分に対して、それとは別体に形成された開口操作用のタブ６が、略円板状のパネル部２の略中央に形成されたリベット部５によって固着されている。なお、図示していないが、缶蓋１の内面には、食品衛生性や耐食性や加工性やフレーバー性等の観点から、エポキシ−フェノール樹脂，エポキシ−アクリル樹脂，塩化ビニル系樹脂等の塗料や、ポリエチレン，ポリプロピレン，ポリエステル，ポリアミド，アイオノマー等の熱可塑性樹脂の１種又は２種以上から構成される樹脂フィルムによる有機被膜が形成されており（なお、樹脂フィルムの場合には、１層であっても、２層以上であっても良いし、二軸延伸フィルムであっても、無延伸フィルムであっても良い）、また、缶胴との巻締固着部分となるフランジ部４の裏面側には、有機高分子製のシール剤が塗布されて付着される。
【００１３】
そのような缶蓋１の略円板状のパネル部２には、図２に示すように、パネル部２の中心から片側に偏った範囲で、リベット部５の近傍からパネル部２の外周部近傍にまで延び、半径方向の長さがそれと直交する方向の長さよりも長く形成されるような開口部の形状に沿って、始端７ａから終端７ｂに連続するスコア線７（なお、開口時に破断する外側の主スコア線７に対して、スコア線の成形時に主スコア線７への応力の集中を緩和するための破断しない副スコア線８が、二重線の状態で内側に設けられている）が刻設されており、スコア線７（開口時に破断する主スコア線）によって囲まれた領域が、開口時に缶内に押し下げられる開口片１０の部分になっていて、スコア線７の両端部７ａ，７ｂの間は、開口時にパネル部２と開口片１０を繋ぐヒンジ部分９となる。
【００１４】
そのようにスコア線７で囲まれた開口片１０が、略円板状のパネル部２の中心から片側に偏って部分的に形成されているのに対して、図１に示すように、開口片１０の部分を押し下げるためのタブ６は、その一端側が押し下げ端６ａとして開口片１０の上方に位置し、その他端側が把持部６ｂとして開口片１０から離れて（リベット部５を挟んで開口片１０とは反対側に）位置するように、開口片１０の領域外で、パネル部２の略中央に位置するリベット部５によって固着されている。
【００１５】
また、リベット部５によりタブ６が固着され、スコア線７に囲まれて開口片１０が形成されているパネル部２には、タブ６と開口片１０の領域を内包するように、傾斜面１１ｂと該傾斜面１１ｂで囲まれた底面１１ａとを有する凹部１１が形成されており、タブ６と開口片１０の領域は、連続した傾斜面１１ｂにより完全に囲まれた状態となっていて、スコア線７やリベット部５は、底面１１ａに形成された状態となっている。なお、パネル部２の凹部１１の底面１１ａには、開口片１０の領域内に、開口片１０の部分に剛性を持たせるための馬蹄形の補強突起１２が形成され、また、開口片１０の領域外で、タブの把持部６ｂの端部近傍に、タブの把持部６ｂを摘み易くするための指入れ凹部１３が、凹部１１の傾斜面１１ｂの一部分と連なった状態で、凹部１１の底面１１ａから更に下方に凹むように形成されている。
【００１６】
なお、凹部１１の傾斜面１１ｂについて、本実施形態では、タブ６と開口片１０の領域を連続して完全に囲むようにしているが、そのような構造に限らず、開口片１０の周辺に沿って傾斜面１１ｂを連続させることは必要であるが、タブの把持部６ｂの近傍では、凹部１１とカウンターシンク部３との間の部分を切り欠くようにしても良く、そうすることにより、耐圧強度を超える内圧が缶蓋に作用したときに、スコア線７と反対側に位置するタブの把持部６ｂ側でバックリングを発生させ易くすることができて、バックリングによるスコア線７の破断を防止することができる。
【００１７】
ところで、上記のような本実施形態の缶蓋１において、凹部１１の傾斜面１１ｂに沿ったスコア線７の外側では、即ち、スコア線７のリベット部５に近接する初期破断部分の近傍を除いた平面略Ｕ字状の部分の外側では、凹部１１の底面１１ａに対する傾斜面１１ｂの折れ曲がり角度が、リベット部５から最も離れた開口片１０の先端１０ａの付近（缶蓋の外周に近い部分）で、その他の部分と比べて部分的に角度が小さく（傾斜が緩く）なるように形成されている。
【００１８】
すなわち、本実施形態では、具体的には、図２に示すように、リベット部５の中心と開口片１０の先端１０ａとを結ぶ仮想線Ｘの線上において、図３（Ａ）に示すように、スコア線７の平面略Ｕ字状の部分の外側において、凹部１１の縦断面略直線状の底面１１ａに対する縦断面略直線状の傾斜面１１ｂの折れ曲がり角度α（底面１１ａに対する傾斜面１１ｂの傾斜角度）は、折れ曲がりが殆ど目立たない程度の５°以下（具体例では略３°）となっており、この仮想線Ｘを中心線として左右対称で、リベット部５の中心での円周角θが約４０°である扇形の範囲内において、仮想線Ｘから離れるに従って折れ曲がり角度αが徐々に大きく（折れ曲がりが目立つように）なっていて、この扇形の範囲外では、図５（Ａ）に示すような従来の缶蓋における開口片先端付近での底面１１ａに対する傾斜面１１ｂの折れ曲がり角度αと同様に、略１８°（１５〜２５°）の折れ曲がり角度となっている。底面１１ａや傾斜面１１ｂの縦断面形状については、略直線状でなく緩やかな曲線状であっても良く、その場合には、曲線に近似した仮想直線によって折れ曲がり角度を規定することとなる。
【００１９】
なお、パネル部２に凹部１１をプレス成形する場合（なお、指入れ凹部１３も同時にプレス成形している）、従来は、カウンターシンク部３とフランジ部４が形成され、パネル部２にリベット部５やスコア線７や補強突起１２が形成されて、タブ６が未だ固着されていない缶蓋を、図６に示すように、固定部材２１，２２の上に載置して、可動部材２３，２４とパンチ部材２５を下方に移動させ、凹部１１の底面１１ａの周辺部に沿った全周で（指入れ凹部１３の成形部分を除いて）均一な高さのプレス面を有するパンチ部材２５によりパネル部２の中央部をプレス加工することで、図５（Ａ）に示すように、傾斜面１１ｂと該傾斜面１１ｂで囲まれた底面１１ａとを有する凹部１１を形成しており、形成された凹部１１の底面１１ａに対する傾斜面１１ｂの折れ曲がり角度α（底面１１ａに対する傾斜面１１ｂの傾斜角度）は、凹部１１の周辺部の全周で略同じ角度となっている。
【００２０】
これに対して、本実施形態の缶蓋１では、上記のような従来の缶蓋と比べて、パネル部２に凹部１１をプレス成形する場合に、凹部１１の底面１１ａの周辺部に沿ったプレス面を有するパンチ部材２５について、そのプレス面の一部分（開口片１０の先端１０ａの付近に相当する部分）だけを、図４に示すように、外方に向けて浅くなるように傾斜させておくことで、図３（Ａ）に示すように、開口片１０の先端１０ａの付近では、凹部１１の底面１１ａに対する傾斜面１１ｂの折れ曲がり角度αが、その他の部分よりも小さく（傾斜が緩く）なるように形成している。なお、図示していないが、スコア線７の外側のその他の部分（開口片１０の先端１０ａの付近から離れた部分）での凹部１１の底面１１ａに対する傾斜面１１ｂの折れ曲がり角度は、図５（Ａ）に示した従来のものと略同じ折れ曲がり角度となっている。
【００２１】
上記のような構造を備えた本実施形態の缶蓋１は、内容物が充填された後の上端が開口された缶体（缶本体）に対して、フランジ部４を缶体の上端開口縁に巻締固着することで、缶容器の上端壁となるものであって、そのように缶容器の上端壁となった缶蓋１の開口時の状態について、以下に簡単に説明する。
【００２２】
開口操作の開始に当たって、先ず、パネル部２の指入れ凹部１３に指先を入れてタブの把持部６ｂに指を掛けた状態から、タブの把持部６ｂを持ち上げることにより、リベット部５を支点として、タブの押し下げ端６ａが下方に押し下げられ、タブの押し下げ端６ａがパネル部２（開口片１０のリベット部５に近い部分）に当接した状態から、更にタブの把持部６ｂを持ち上げることで、第２種のてこ作用が働いて、持ち上げ力は、タブの押し下げ端６ａとパネル部２の当接点を支点として、タブ６を固着しているリベット部５を上方に引き上げる力として作用し、その結果、リベット部５の近傍でスコア線７に初期破断が発生する。
【００２３】
そのようにスコア線７が初期破断された状態から、更にタブの把持部６ｂを持ち上げることにより、第１種のてこ作用が働いて、リベット部５の両側部分を支点とするタブ６（押し下げ端６ａ）の押し下げ力により、既に初期破断されているスコア線７は、その始端７ａから終端７ｂに向かって破断されると同時に、タブの押し下げ端６ａにより開口片１０が徐々に缶内に押し下げられ、最終的には、スコア線７の始端７ａと終端７ｂの間の部分をヒンジ部分９として開口片１０がパネル部２に繋がった状態で、開口片１０の全体が缶内に押し下げられて、缶蓋１の開口が完了することとなる。
【００２４】
上記のように開口される本実施形態の缶蓋１によれば、傾斜面１１ｂと該傾斜面１１ｂで囲まれた底面１１ａとを有する凹部１１を、少なくとも開口片１０の周辺では傾斜面１１ｂが切り欠き部分のない連続した状態となるようにパネル部２に形成して、パネル部２の張りを良くしていることにより、開口片１０の周辺でバックリングが優先的に発生するのを防止できると共に、開口時にタブ６を持ち上げてスコア線７を初期破断する際に、タブの押し下げ端６ａと当接するパネル部２の部分を撓ませたり変形させたりすることなく、タブ６に対する持ち上げ力を缶蓋の所要部分（リベット部５の近傍）に効率良く伝達させることができて、スコア線７を破断し易くなる。
【００２５】
また、パネル部２に形成された凹部１１の傾斜面１１ｂについて、開口片１０の先端１０ａ（缶蓋１の外周に近い部分）の付近では、スコア線７の外側での凹部１１の底面１１ａに対する傾斜面１１ｂの折れ曲がり角度（傾斜角度）αを、その他の部分よりも小さく（傾斜を緩く）していることで、この部分での変形が容易となって、それにより、未開口の状態で缶の内圧が高くなった時に、特に開口片１０の先端付近のスコア線７の破断が起き易い部分で、内圧による缶蓋の外方への曲げ応力がスコア線７の部分に集中するのを緩和することができて、曲げ応力の集中を原因とするスコア線７の破断が起こり難くなっている。特に、開口片１０の先端１０ａの付近での折れ曲がり角度αを５°以下として、この部分での折れ曲がりを殆ど目立たないようにすることで、缶の内圧が高くなった時に、この部分でスコア線７の外側が充分に変形することができて、その結果、内圧による缶蓋の外方への曲げ応力がスコア線７の部分に集中するのを確実に緩和することができる。
【００２６】
すなわち、未開口の状態で缶の内圧が高くなった時に、開口片１０の先端１０ａの近傍において、従来の開口容易缶蓋では、図５（Ｂ）に示すように、凹部１１の底面１１ａと傾斜面１１ｂの境界部分が大きく折れ曲がっていて、この部分が変形し難いことから、内圧による缶蓋の曲げ応力がスコア線７の部分に集中的に作用して、スコア線７の部分で山折りに折れ曲がり、それによってスコア線７が破断され易くなるのに対して、本実施形態の開口容易缶蓋では、図３（Ｂ）に示すように、凹部１１の底面１１ａと傾斜面１１ｂの境界付近に殆ど折れ曲がりがなく、スコア線７よりも外側の部分が変形し易いことで、内圧による缶蓋の曲げ応力がスコア線７の部分に集中するのが緩和されて、スコア線７の部分での折れ曲がりが小さく済むことから、スコア線７は破断され難くなっている。
【００２７】
なお、本実施形態の缶蓋１では、凹部１１の底面１１ａに対する傾斜面１１ｂの折れ曲がり角度αについて、開口片１０の先端１０ａの付近のみを部分的に小さくしていることから、この折れ曲がり角度αを凹部１１の全周で小さくするような場合と比べて、パネル部２の全体としての張りを損なうことなく、タブ６に加えた力を缶蓋の所要部分に効率良く伝達させることができて、スコア線７の破断による開口性を充分に確保することができる。
【００２８】
以上、本発明の開口容易缶蓋の一実施形態について説明したが、本発明は、上記の実施形態に示したような具体的な構造にのみ限定されるものではなく、例えば、開口片の形状については、幅方向に長い略楕円形（リベット部の中心と開口片の先端とを結ぶ長さよりも、それと直交する方向の長さの方が長い略楕円形）としたり、開口部の先端がやや角張った感じの略ハート型形状としても良く、また、開口片の先端付近の具体的な範囲については、開口片の部分の形状の違いによって適宜に変更可能なものであり、また、開口片先端付近での凹部の底面に対する傾斜面の具体的な折れ曲がり角度については、スコア線の破断強度の違いによって適宜に変更可能なものである等、適宜に設計変更可能なものであることは言うまでもない。
【００２９】
【発明の効果】
以上説明したような本発明の開口容易缶蓋によれば、傾斜面と該傾斜面で囲まれた底面とを有する凹部を、タブと開口片の領域を内包するようにパネル部に形成していることで、開口時のタブによる操作を缶蓋の所要部分に効率良く伝達することができ、スコア線を破断し易くすることができて、缶蓋の開口性を向上させることができると共に、前記の凹部の底面に対する傾斜面の折れ曲がり角度を、開口片の先端付近でその他の部分よりも小さくしていることにより、未開口の缶の内圧が高くなった時に、内圧による缶蓋の外方への曲げ応力を、開口片の先端付近でスコア線の部分に集中させないようにすることができて、缶の内圧が上昇することで缶蓋のスコア線が不用意に破断されるのを防止することができる。
【図面の簡単な説明】
【図１】本発明の開口容易缶蓋の一実施形態について、缶蓋（缶胴に巻締め固着される前の状態）の全体を示す上面図。
【図２】図１に示した缶蓋について、タブを省略した状態で開口片のある側を拡大して部分的に示す上面図。
【図３】図１に示した缶蓋の開口片先端付近の断面形状について、（Ａ）通常の場合と（Ｂ）内圧で変形した場合とをそれぞれ示す断面図。
【図４】図３（Ａ）に示した缶蓋の開口片先端付近の成形状態を示す断面説明図。
【図５】従来の缶蓋の開口片先端付近の断面形状について、（Ａ）通常の場合と（Ｂ）内圧で変形した場合とをそれぞれ示す断面図。
【図６】図５（Ａ）に示した缶蓋の開口片先端付近の成形状態を示す断面説明図。
【符号の説明】
１        缶蓋
２        パネル部
５        リベット部
６        タブ
６ａ      （タブの）押し下げ端
６ｂ      （タブの）把持部
７        スコア線
９        ヒンジ部分
１０      開口片
１０ａ    （開口片の）先端
１１      凹部
１１ａ    （凹部の）底面
１１ｂ    （凹部の）傾斜面
α        凹部の底面に対する傾斜面の折れ曲がり角度
Ｘ        リベット部の中心と開口片の先端とを結ぶ仮想線
【図１】
2004155449.tif 000003
【図２】
2004155449.tif 000004
【図３】
2004155449.tif 000005
【図４】
2004155449.tif 000006
【図５】
2004155449.tif 000007
【図６】
2004155449.tif 000008